(57)【要約】【課題】画像表示パネルの交換作業を簡単に行う上で有利な画像表示装置を提供する。【解決手段】画像表示部１０は、フロントカバー２０と、スピーカー２８と、液晶パネル３０と、シャーシ４０と、バックカバー５０と、複数の電装部品６０とを備えている。シャーシ４０の背面４０１２に複数の電装部品６０が組み付けられ、シャーシ４０の前面４０１０に液晶パネル３０の背板３６を重ね合わせた状態で、シャーシ４０に液晶パネル３０が取り付けられる。液晶パネル３０の表示面３２０２をフロントカバー２０の背面から正面開口２６に臨ませた状態でシャーシ４０にフロントカバー２０が取り付けられる。シャーシ４０の背面４０１２にバックカバー５０の後板５２の前面を臨ませ、バックカバー５０がフロントカバー２０に取り付けられる。【選択図】        図５
2007024992.tif 000002
【特許請求の範囲】
【請求項１】
画像表示部を有する画像表示装置であって、
前記画像表示部は、
正面開口を有するフロントカバーに該フロントカバーの背面から前記正面開口に表示面を臨ませて画像表示パネルが組み込まれ、
前記画像表示パネルの背面に板状のシャーシが配置され、
前記シャーシの背面に前記画像表示パネルを除くその他の電装部品が実装され、
前記シャーシの背面に実装された前記電装部品がバックカバーで覆われるとともに、該バックカバーと前記フロントカバーにより前記画像表示パネル、前記シャーシ、前記電装部品の側方が覆われて構成されている、
ことを特徴とする画像表示装置。
【請求項２】
画像表示部を有する画像表示装置であって、
前記画像表示部は、
正面開口を有するフロントカバーに該フロントカバーの背面から前記正面開口に表示面を臨ませて画像表示パネルが組み込まれるとともに、前記正面開口の周囲の前記フロントカバー箇所にスピーカーが組み込まれ、
前記画像表示パネルの背面に板状のシャーシが配置され、
前記シャーシの背面に前記画像表示パネルおよび前記スピーカーを除くその他の電装部品が実装され、
前記シャーシの背面に実装された前記電装部品がバックカバーで覆われるとともに、該バックカバーと前記フロントカバーにより前記画像表示パネル、前記シャーシ、前記電装部品の側方が覆われて構成されている、
ことを特徴とする画像表示装置。
【請求項３】
前記シャーシは板金製で、前記画像表示パネルよりも大きく前記フロントカバーよりも小さい輪郭で形成されていることを特徴とする請求項１または２記載の画像表示装置。
【請求項４】
前記フロントカバーと前記シャーシはねじにより取着されていることを特徴とする請求項１または２記載の画像表示装置。
【請求項５】
前記画像表示パネルと前記シャーシはねじにより取着されていることを特徴とする請求項１または２記載の画像表示装置。
【請求項６】
前記画像表示部は載置台から立設された脚体で支持され、前記シャーシには前記脚体が係脱可能に結合される結合部が設けられていることを特徴とする請求項１または２記載の画像表示装置。
【発明の詳細な説明】
【技術分野】
【０００１】
本発明は画像表示装置に関する。
【背景技術】
【０００２】
液晶ディスプレイなどの画像表示パネルを有する画像表示装置がある。
このような画像表示装置として、矩形枠状のフロントカバーと、フロントカバーの開口に臨ませて配置された画像表示パネルと、画像表示パネルと電装部品を保持するシャーシと、シャーシの背面に配置されたバックカバーとを備えたものが提案されている（特許文献１参照）。
この画像表示装置では、シャーシが複数のシャーシ構成部材（ステー）に分割され、それら複数のシャーシ構成部材とフロントカバーとの間に画像表示パネルを挟持する構造となっており、また、各種の電装部品は複数のシャーシ構成部材に保持される構造となっている。
【特許文献１】特開２００３−１５００７６号公報
【発明の開示】
【発明が解決しようとする課題】
【０００３】
しかしながら、前記従来技術では、シャーシが複数のシャーシ構成部材で構成されていることから、例えば、画像表示パネルの交換作業を行う場合に、シャーシとフロントカバーの分解作業および組み立て作業が繁雑となりがちで、画像表示パネルの交換作業の効率を高める上で不利があった。
本発明は、このような事情に鑑みなされたもので、その目的は画像表示パネルの交換作業を簡単に行う上で有利な画像表示装置を提供することにある。
【課題を解決するための手段】
【０００４】
上記目的を達成するために、本発明は、画像表示部を有する画像表示装置であって、前記画像表示部は、正面開口を有するフロントカバーに該フロントカバーの背面から前記正面開口に表示面を臨ませて画像表示パネルが組み込まれ、前記画像表示パネルの背面に板状のシャーシが配置され、前記シャーシの背面に前記画像表示パネルを除くその他の電装部品が実装され、前記シャーシの背面に実装された前記電装部品がバックカバーで覆われるとともに、該バックカバーと前記フロントカバーにより前記画像表示パネル、前記シャーシ、前記電装部品の側方が覆われて構成されていることを特徴とする。
また、本発明は、画像表示部を有する画像表示装置であって、前記画像表示部は、正面開口を有するフロントカバーに該フロントカバーの背面から前記正面開口に表示面を臨ませて画像表示パネルが組み込まれるとともに、前記正面開口の周囲の前記フロントカバー箇所にスピーカーが組み込まれ、前記画像表示パネルの背面に板状のシャーシが配置され、前記シャーシの背面に前記画像表示パネルおよび前記スピーカーを除くその他の電装部品が実装され、前記シャーシの背面に実装された前記電装部品がバックカバーで覆われるとともに、該バックカバーと前記フロントカバーにより前記画像表示パネル、前記シャーシ、前記電装部品の側方が覆われて構成されていることを特徴とする。
【発明の効果】
【０００５】
本発明によれば、画像表示パネルの背面にシャーシを配置し、シャーシの背面に画像表示パネルを除くその他の電装部品を実装し、あるいは、シャーシの背面に画像表示パネルおよびスピーカーを除くその他の電装部品を実装し、シャーシの背面に実装された電装部品をバックカバーで覆うようにしたので、画像表示パネルの交換作業の際には、画像表示パネルをシャーシおよび電装部品から容易に分離することができ、画像表示パネルの交換に伴う画像表示部の分解作業および組み立て作業が簡単にでき、画像表示パネルの交換作業の効率を高める上で有利となる。
【発明を実施するための最良の形態】
【０００６】
（第１の実施の形態）
以下、本発明による画像表示装置の実施の形態を図面に基づいて詳細に説明する。
図１は第１の実施の形態における画像表示装置１００の斜視図、図２は画像表示装置１００の画像表示部１０を前方から見た斜視図、図３は画像表示部１０を後方から見た斜視図、図４は像表示装置１００の脚体１２および載置台１４を示す斜視図、図５は画像表示部１０の分解斜視図、図６は図５のＡ矢視図である。
【０００７】
本実施の形態では、画像表示装置１００は、画像表示パネルとして液晶パネル３０を用いたテレビジョン装置である。
図１に示すように、画像表示装置１００は、画像表示部１０と、画像表示部１０の下面中央から下方に延在する脚体１２と、脚体１２を支持する載置台１４とを備えている。
図４に示すように、脚体１２は、画像表示部１０に組み込まれる上部１２Ａと、上部１２Ａから下方に延在する下部１２Ｂとを備え、下部１２Ｂが載置台１４に鉛直軸の周りに回転可能に支持されている。
上部１２Ａは、左右に延在する横部１２０２と、横部１２０２の両端から上方に突出する縦部１２０４とを備え、これら横部１２０２と縦部１２０４を介して脚体１２は画像表示部１０に連結される。
【０００８】
図５、図６に示すように、画像表示部１０は、フロントカバー２０と、スピーカー２８と、液晶パネル３０と、シャーシ４０と、バックカバー５０と、複数の電装部品６０とを備えている。
【０００９】
図７は、フロントカバー２０を前方から見た斜視図、図８は、フロントカバー２０を後方から見た斜視図である。
図７、図８に示すように、フロントカバー２０は、矩形枠状の前板２２と、前板２２の四辺から後方に向けてそれぞれ起立された側板２４とを備え、合成樹脂製である。
前板２２の内側に高さと高さよりも大きい寸法の幅を有する矩形状の正面開口２６が形成されている。
図７に示すように、少なくとも左右両側に位置する前板２２部分は放音用の多数の微細な孔からなるスピーカグリルが形成され、図８に示すように、その背面に音声を出力するスピーカー２８が取着されている。
図８に示すように、上下に位置する前板２２部分の背面には、複数のボス２２０２が幅方向に間隔をおいて形成され、各ボス２２０２にはシャーシ４０取り付け用のねじ孔２２０４が形成されている。
また、上下に位置する前板２２部分の背面には、複数のボス２２０２と異なる箇所に、複数のボス２２１０が幅方向に間隔をおいて形成され、各ボス２２１０にはバックカバー５０取り付け用のねじ孔２２１２が形成されている。
【００１０】
図９は液晶パネル３０を前方から見た斜視図、図１０は液晶パネル３０を後方から見た斜視図である。
図９、図１０に示すように、液晶パネル３０は、フロントカバー２０の内面に設けられた開口２６より大きい矩形を呈する矩形枠状のリブ２３の内側に収容可能な大きさの矩形板状を呈している。
液晶パネル３０は、矩形板状の液晶表示装置３２と、矩形枠状の枠体３４と、矩形板状の背板３６とを備えている。
図９に示すように、枠体３４は、矩形枠状の前板３４０２と、前板３４０２の四辺から後方に向けてそれぞれ起立された側板３４０４とを備え、前板３４０２の内側に矩形状の開口３４０６が形成されている。
そして、液晶表示装置３２の前面に位置する表示面３２０２を開口３４０６を介して前方に臨ませた状態で、４つの側板３４０４が液晶表示装置３２の４つの側面にそれぞれ取着されている。
図１０に示すように、背板３６は液晶表示装置３２の背面を覆うように枠体３４に取着されており、上側で幅方向に間隔をおいた２箇所と、下側で幅方向に間隔をおいた２箇所にそれぞれボス３６０２が突設され、各ボス３６０２にはシャーシ４０取り付け用のねじ孔３６０４が設けられている。
【００１１】
図１１はシャーシ４０を前方から見た斜視図、図１２はシャーシ４０を後方から見た斜視図である。
図１１、図１２に示すように、シャーシ４０は、液晶パネル３０よりも一回り大きな輪郭でかつフロントカバー２０よりも一回り小さな輪郭の矩形板状を呈し、板金製である。他にシャーシ４０として、例えば、アルミダイキャスト、プラスチック成形品などを用いることができる。
シャーシ４０の上下には幅方向に沿って取り付け片４２が延在形成されており、各取付片４２には、フロントカバー２０の各ねじ孔２２０４に対応してねじ挿通孔４２０２が形成されている。
また、シャーシ４０の前面４０１０には、液晶パネル３０の背板３６のボス３６０２に対応する箇所にボス４００２が突設され、各ボス４００２には、ねじ孔３６０４に対応してねじ挿通孔４００４がシャーシ４０の厚さ方向に貫通形成されている。
図１２に示すように、シャーシ４０の背面４０１２で幅方向の両側寄りの箇所には、補強用のステー４４がそれぞれ取り付けられている。
ステー４４は、シャーシ４０の背面４０１２と前後に間隔をおいて平行し上下方向に延在する帯板状の本体板４４０２と、本体板４４０２の上端から本体板４４０２の厚さ方向に屈曲され背面４０１２にねじで取着される取り付け片４４０４と、本体板４４０２の下端に設けられ、脚体１２の縦部１２０４が係脱可能に結合されシャーシ４０の背面４０１２に取着される結合部４４０６とを有している。
結合部４４０６は、断面が縦部１２０４が挿入される寸法の矩形を呈し、縦部１２０４が結合部４４０６に挿入された状態で、結合部４４０６の壁部を挿通したねじが縦部１２０４のねじ孔に螺合され、縦部１２０４が結合部４４０６に固定される。
【００１２】
図１３は画像表示部１０からバックカバー５０を取り外した状態を示す背面図である。
図１３に示すように、液晶パネル３０およびスピーカー２８を除く主要な電装部品６０は、シャーシ４０の背面４０１２にねじなどで取り付けられている。
本実施の形態では、電装部品６０は、各部に電源を供給する電源部６１と、音声信号の処理を行う音声信号処理部６２と、映像信号の処理を行う映像信号処理部６３と、この画像表示装置１００の外部に設置されているテレビチューナやＤＶＤプレーヤなどからの映像信号や音声信号を入力して処理する外部信号入力部６４と、外部に設置されているスピーカーやビデオデッキ、ＤＶＤレコーダーなどとの間で音声信号や映像信号の入出力を行う外部信号入出力部６５と、これら音声信号処理部６２、映像信号処理部６３、外部信号入力部６４、外部信号入出力部６５の制御を司る制御部６６などを含んでいる。
なお、コネクタやスイッチなどの電装部品はフロントカバー２０の背面に配設されており、したがって本発明において、「シャーシの背面に画像表示パネルを除くその他の電装部品が実装され、」あるいは、「シャーシの背面に画像表示パネルおよびスピーカーを除くその他の電装部品が実装され、」とは、画像表示パネルやスピーカーを除いた残りの電装部品の大半がシャーシの背面に実装されているということである。
【００１３】
図３、図５、図６に示すように、バックカバー５０は、フロントカバー２０の輪郭よりも一回り小さい矩形板状の後板５２と、後板５２の四辺から前方に向けてそれぞれ起立された側板５４と、側板５４の先端から側板５４の外方に屈曲された取り付け片５６とを備えている。
各取り付け片５６のうち上下に位置する取り付け片５６には、フロントカバー２０のねじ孔２２１２に対応するねじ挿通孔５６０２が形成されている。
【００１４】
次に、画像表示部１０の組み立てについて説明する。
図５、図６に示すように、シャーシ４０の背面４０１２に複数の電装部品６０を組み付けておく。
次いで、スピーカ２８が取り付けられたフロントカバー２０を内面側を上向きにして作業台上に載せる。
次に、液晶パネル３０を表示面３２０２がフロントカバー２０の開口２６から臨めるように表示面３２０２を下側にしてフロントカバー２０の内面に設けられた矩形枠状のリブ２３の中に落とし込むように載せる。
次に、複数の電装部品６０が組み付けられたシャーシ４０を液晶パネル３０の上から電装部品６０が取り付けられた背面４０１２が上側になるように覆い被せる。
次に、シャーシ４０の背面４０１２からねじ７２を各ねじ挿通孔４２０２を介してフロントカバー２０の各ねじ孔２２０４に螺合することで、シャーシ４０をフロントカバー２０に取り付ける。
次に、シャーシ４０の背面４０１２からねじ７０を各ねじ挿通孔４００４を介して液晶パネル３０の各ねじ孔３６０４に螺合することで、シャーシ４０に液晶パネル３０を取り付ける。
次に、シャーシ４０の背面４０１２にバックカバー５０の後板５２の前面を臨ませ、バックカバー５０の後方からねじ７４を各ねじ挿通孔５６０２を介してフロントカバー２０の各ねじ孔２２１２に螺合することで、バックカバー５０をフロントカバー２０に取り付ける。このときねじ７４のうちの一部のねじ７４Ａはシャーシ４０のねじ挿通孔を通過するようになされているので、このねじ７４Ａによってシャーシ４０とバックカバー５０はフロントカバーに供締めされて取り付けられる。
これで画像表示部１０の組み立ては完了するが、次に画像表示部１０を載置台１４に回転可能に支持された脚体１２に連結して、画像表示装置１００の組立てが完成する。
【００１５】
画像表示装置１００を分解して液晶パネル３０を交換する場合は、前述した組み立て手順を逆にたどって行えばよい。
なお本発明の場合、例えば電装部品６０等の動作チェックをセット全体を動作させて行う場合には、画像表示装置１００において、脚体１２と画像表示部１０を連結したまま、バックカバー５０をフロントカバー２０に取り付けているねじ７４およびシャーシ４０をフロントカバー２０に取り付けているねじ７２をそれぞれ外して、バックカバー５０およびフロントカバー２０と取り外すことにより、液晶パネル３０と電装部品６０が組み付けされたシャーシ４０とがねじ７０で組み付けられた状態で載置台１４及び脚体１２に支持され正立し、動作する状態を作ることが出来る。
さらにこの状態で液晶パネル３０を交換する必要が生じた場合には、ねじ７０を外して液晶パネル３０を交換できる。
【００１６】
本実施の形態によれば、フロントカバー２０の正面開口２６に画像表示パネル３０を組み込み、液晶パネル３０の背面に、液晶パネル３０よりも一回り大きな輪郭でかつフロントカバー２０よりも一回り小さな輪郭の矩形板状の板金製のシャーシ４０を配置する。
そして、このシャーシ４０の背面４０１２に画像表示パネル３０およびスピーカー２８を除くその他の電装部品６０を実装し、シャーシ４０の背面４０１２に実装された電装部品６０をバックカバー５０で覆うようにした。
そのため、液晶パネル３０の交換作業の際には、液晶パネル３０をシャーシ４０および電装部品６０から容易に分離することができ、液晶パネル３０の交換に伴う画像表示部１０の分解作業および組み立て作業が簡単にでき、液晶パネル３０の交換作業の効率を高める上で有利となる。
【００１７】
なお、本実施の形態では、正面開口２６の周囲のフロントカバー２０箇所にスピーカー２８が組み込まれた場合について説明したが、スピーカー２８をシャーシ４０に取着しスピーカー２８の前部をフロントパネル２０の前板２２部分に臨ませるように配置するようにしてもよい。
また、本実施の形態では、画像表示パネルとして液晶パネル３０を用いた場合について説明したが、画像表示パネルは、プラズマディスプレイ、有機ＥＬ（Ｅｌｅｃｔｒｏｎｉｃ  Ｌｕｍｉｎｅｓｃｅｎｔ）ディスプレイなど従来公知の様々な表示デバイスを採用可能であることは無論である。
また、本実施の形態では、画像表示装置１００がテレビジョン装置である場合について説明したが、画像表示装置は、画像表示パネルが組み込まれた種々の電子機器、例えば、ノート型パーソナルコンピュータ、ＰＤＡ（Ｐｅｒｓｏｎａｌ  Ｄｉｇｉｔａｌ  Ａｓｓｉｓｔａｎｔｓ）、携帯型のゲーム機器などであってもよいことは無論である。
【図面の簡単な説明】
【００１８】
【図１】第１の実施の形態における画像表示装置１００の斜視図である。
【図２】画像表示装置１００の画像表示部１０を前方から見た斜視図である。
【図３】画像表示部１０を後方から見た斜視図である。
【図４】画像表示装置１００の脚体１２および載置台１４を示す斜視図である。
【図５】画像表示部１０の分解斜視図である。
【図６】図５のＡ矢視図である。
【図７】フロントカバー２０を前方から見た斜視図である。
【図８】フロントカバー２０を後方から見た斜視図である。
【図９】液晶パネル３０を前方から見た斜視図である。
【図１０】液晶パネル３０を後方から見た斜視図である。
【図１１】シャーシ４０を前方から見た斜視図である。
【図１２】シャーシ４０を後方から見た斜視図である。
【図１３】画像表示部１０からバックカバー５０を取り外した状態を示す背面図である。
【符号の説明】
【００１９】
１０……画像表示部、２０……フロントカバー、２６……正面開口、３０……液晶パネル、４０……シャーシ、５０……バックカバー、６０……電装部品、１００……画像表示装置。
【図１】
2007024992.tif 000003
【図２】
2007024992.tif 000004
【図３】
2007024992.tif 000005
【図４】
2007024992.tif 000006
【図５】
2007024992.tif 000007
【図６】
2007024992.tif 000008
【図７】
2007024992.tif 000009
【図８】
2007024992.tif 000010
【図９】
2007024992.tif 000011
【図１０】
2007024992.tif 000012
【図１１】
2007024992.tif 000013
【図１２】
2007024992.tif 000014
【図１３】
2007024992.tif 000015